【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
コンピュータシステム内で実行される１つまたは複数のプロセスを用いてベンチマークデータを含む電子データ構造を処理するための方法であって、
当該電子データ構造は、ＳＧＭＬベースの言語によって読出し可能なフォーマットを有するファイルであり、
電子的な手段を用いて１つまたは複数の前記電子データ構造を受け取る、
ことを特徴とする、電子データ構造を処理するための方法。
【請求項２】
コンピュータシステム内で実行される１つまたは複数のプロセスを用いてベンチマークデータを含む電子データ構造を処理するための方法であって、
当該電子データ構造は、ＳＧＭＬベースの言語によって読出し可能なフォーマットを有するファイルであり、
当該ファイルはさらに１つまたは複数のベンチマーク定義を含み、
電子的な手段を用いて１つまたは複数の前記電子データ構造を受け取る、
ことを特徴とする、電子データ構造を処理するための方法。
【請求項３】
前記電子的な手段はインターネットを含み、
ここでは１つまたは複数の前記電子データ構造へのリンクがインターネットページ上に存在し、
当該リンクを１つまたは複数の前記電子データ構造を受け取るために使用する、請求項１または２記載の方法。
【請求項４】
前記１つまたは複数の電子データ構造内に含まれている１つまたは複数のベンチマークデータまたはベンチマーク定義を、ビジネスプロセスをサポートするためのソフトウェア内に組込む、請求項３記載の方法。
【請求項５】
前記ベンチマークデータの組込みを自動的に行い、
１つまたは複数の前記電子データ構造を読出すステップと、
１つまたは複数の前記電子データ構造内のベンチマークデータに対する１つまたは複数のキーワードを認識するステップと、
１つまたは複数の当該キーワードによって識別された情報をデータベース構造内に書き込むステップと、を含む、請求項３記載の方法。
【請求項６】
前記ベンチマーク定義の組込みを自動的に行い、
１つまたは複数の前記電子データ構造を読出すステップと、
１つまたは複数の前記電子データ構造内のベンチマーク定義に対する１つまたは複数のキーワードを認識するステップと、
１つまたは複数の当該キーワードによって識別された情報をデータベース構造内に書き込むステップと、を含む、請求項４または５記載の方法。
【請求項７】
キーワードによって識別された前記情報と、前記情報が書き込まれているデータベース構造を相互にアルゴリズムによって割り当てる、請求項５または６記載の方法。
【請求項８】
前記アルゴリズムは１つまたは複数のテーブル、または１つまたは複数の規則を含む、請求項７記載の方法。
【請求項９】
１つまたは複数の前記規則は１つまたは複数のテーブルに含まれている、請求項８記載の方法。
【請求項１０】
前記データベース構造は事前に定められる、請求項７から９までのいずれか１項または複数項に記載の方法。
【請求項１１】
前記電子データ構造内に含まれているベンチマークデータを、ビジネスプロセスをサポートするためのソフトウェア内に含まれている相当するベンチマークデータに、テーブルを用いてマッピングし、
当該テーブル内では、前記電子データ構造内のベンチマークデータの第１のＩＤが、ビジネスプロセスをサポートするためのソフトウェア内のベンチマークデータの第２のＩＤに割り当てられている、請求項１から１０までのいずれか１項または複数項に記載の方法。
【請求項１２】
ビジネスプロセスをサポートするためのソフトウェア、殊に企業資源計画ソフトウェアでの使用に対する、請求項１から１１までのいずれか１項または複数項に記載の方法。
【請求項１３】
前記ファイルはＸＭＬファイルまたはＨＴＭＬファイルである、請求項１から１２までのいずれか１項記載の方法。
【請求項１４】
コンピュータシステム内で実行される１つまたは複数のプロセスを用いて、ベンチマークデータを含む電子データ構造を処理するコンピュータシステムであって、
当該電子データ構造は、ＳＧＭＬベースの言語によって読出し可能なフォーマットを有するファイルであり、
・プログラム命令を有するメモリと、
・データを入力するための入力手段と、
・データを記憶するための記憶手段と、
・前記プログラム命令に応答するプロセッサを有しており、
当該プログラム命令は、１つまたは複数の前記電子データ構造を電子的な手段によって受信するためのものである、
ことを特徴とする、コンピュータシステム。
【請求項１５】
コンピュータシステム内で実行される１つまたは複数のプロセスを用いて、ベンチマークデータを含む電子データ構造を処理するコンピュータシステムであって、
当該電子データ構造は、ＳＧＭＬベースの言語によって読出し可能なフォーマットを有するファイルであり、
当該ファイルはさらに１つまたは複数のベンチマーク定義を含み、
・プログラム命令を有するメモリと、
・データを入力するための入力手段と、
・データを記憶するための記憶手段と、
・前記プログラム命令に応答するプロセッサを有しており、
当該プログラム命令は、１つまたは複数の前記電子データ構造を電子的な手段によって受信するためのものである、
ことを特徴とする、コンピュータシステム。
【請求項１６】
前記電子的な手段はインターネットを含み、
ここでは１つまたは複数の前記電子データ構造へのリンクがインターネットページ上に存在し、
当該リンクは１つまたは複数の前記電子データ構造を受け取るために使用される、請求項１４または１５記載のコンピュータシステム。
【請求項１７】
前記１つまたは複数の電子データ構造内に含まれている１つまたは複数のベンチマークデータまたはベンチマーク定義を、ビジネスプロセスをサポートするためのソフトウェア内に組込む、請求項１６記載のコンピュータシステム。
【請求項１８】
前記ベンチマークデータの組込みが自動的に行われ、
１つまたは複数の前記電子データ構造を読出すステップと、
１つまたは複数の前記電子データ構造内のベンチマークデータに対する１つまたは複数のキーワードを認識するステップと、
１つまたは複数の当該キーワードによって識別された情報をデータベース構造内に書き込むステップと、を含む、請求項１６記載のコンピュータシステム。
【請求項１９】
前記ベンチマーク定義の組込みが自動的に行われ、
１つまたは複数の前記電子データ構造を読出すステップと、
１つまたは複数の前記電子データ構造内のベンチマーク定義に対する１つまたは複数のキーワードを認識するステップと、
１つまたは複数の当該キーワードによって識別された情報をデータベース構造内に書き込むステップと、を含む、請求項１７または１８記載のコンピュータシステム。
【請求項２０】
キーワードによって識別された前記情報と、前記情報が書き込まれているデータベース構造が相互にアルゴリズムによって割り当てられる、請求項１７または１８記載のコンピュータシステム。
【請求項２１】
前記アルゴリズムは１つまたは複数のテーブル、または１つまたは複数の規則を含む、請求項２０記載のコンピュータシステム。
【請求項２２】
１つまたは複数の前記規則は１つまたは複数のテーブルに含まれている、請求項２１記載のコンピュータシステム。
【請求項２３】
前記データベース構造は事前に定められる、請求項１９から２２までのいずれか１項または複数項に記載のコンピュータシステム。
【請求項２４】
前記電子データ構造内に含まれているベンチマークデータを、ビジネスプロセスをサポートするための前記ソフトウェア内に含まれている相当するベンチマークデータに、テーブルを用いてマッピングし、
当該テーブル内では、前記電子データ構造内のベンチマークデータの第１のＩＤが、ビジネスプロセスをサポートするためのソフトウェア内のベンチマークデータの第２のＩＤに割り当てられている、請求項１４から２３までのいずれか１項または複数項に記載のコンピュータシステム。
【請求項２５】
ビジネスプロセスをサポートするためのソフトウェア、殊に企業資源計画ソフトウェアでの使用に対する、請求項１４から２４までのいずれか１項または複数項に記載のコンピュータシステム。
【請求項２６】
前記ファイルはＸＭＬファイルまたはＨＴＭＬファイルである、請求項７から９までのいずれか１項記載のコンピュータシステム。
【請求項２７】
コンピュータシステム内で実行される１つまたは複数のプロセスを用いて、ベンチマークデータを含む電子データ構造を処理するための命令を含む、コンピュータ読出し可能な媒体であって、
当該電子データ構造は、ＳＧＭＬベースの言語によって読出し可能なフォーマットを有するファイルであり、
１つまたは複数の前記電子データ構造を電子的な手段によって受け取るための命令を含む、
ことを特徴とする、コンピュータ読出し可能な媒体。
【請求項２８】
コンピュータシステム内で実行される１つまたは複数のプロセスを用いて、ベンチマークデータを含む電子データ構造を処理するための命令を含む、コンピュータ読出し可能な媒体であって、
当該電子データ構造は、ＳＧＭＬベースの言語によって読出し可能なフォーマットを有するファイルであり、
当該ファイルはさらに１つまたは複数のベンチマーク定義を含み、
１つまたは複数の前記電子データ構造を電子的な手段によって受け取るための命令を含む、
ことを特徴とする、コンピュータ読出し可能な媒体。
【請求項２９】
前記電子的な手段はインターネットを含み、
ここでは１つまたは複数の前記電子データ構造へのリンクがインターネットページ上に存在し、
当該リンクは１つまたは複数の前記電子データ構造を受け取るために使用される、請求項２７または２８記載のコンピュータ読出し可能な媒体。
【請求項３０】
前記１つまたは複数の電子データ構造内に含まれている１つまたは複数のベンチマークデータまたはベンチマーク定義を、ビジネスプロセスをサポートするためのソフトウェア内に組込む、請求項２９記載のコンピュータ読出し可能な媒体。
【請求項３１】
前記ベンチマークデータの組込みが自動的に行われ、
１つまたは複数の前記電子データ構造を読出すステップと、
１つまたは複数の前記電子データ構造内のベンチマークデータに対する１つまたは複数のキーワードを認識するステップと、
１つまたは複数の当該キーワードによって識別された情報をデータベース構造内に書き込むステップと、を含む、請求項２９記載のコンピュータ読出し可能な媒体。
【請求項３２】
前記ベンチマーク定義の組込みが自動的に行われ、
１つまたは複数の前記電子データ構造を読出すステップと、
１つまたは複数の前記電子データ構造内のベンチマーク定義に対する１つまたは複数のキーワードを認識するステップと、
１つまたは複数の当該キーワードによって識別された情報をデータベース構造内に書き込むステップと、請求項３０または３１記載のコンピュータ読出し可能な媒体。
【請求項３３】
キーワードによって識別された前記情報と、前記情報が書き込まれているデータベース構造を相互にアルゴリズムによって割り当てる、請求項３１または３２記載のコンピュータ読出し可能な媒体。
【請求項３４】
前記アルゴリズムは１つまたは複数のテーブルまたは、１つまたは複数の規則を含む、請求項３３記載のコンピュータ読出し可能な媒体。
【請求項３５】
１つまたは複数の前記規則は１つまたは複数のテーブルに含まれている、請求項３４記載のコンピュータ読出し可能な媒体。
【請求項３６】
前記データベース構造は事前に定められる、請求項３３から３５までのいずれか１項または複数項に記載のコンピュータ読出し可能な媒体。
【請求項３７】
前記電子データ構造内に含まれているベンチマークデータを、ビジネスプロセスをサポートするための前記ソフトウェア内に含まれている相当するベンチマークデータに、テーブルを用いてマッピングし、
当該テーブル内では、前記電子データ構造内のベンチマークデータの第１のＩＤが、ビジネスプロセスをサポートするためのソフトウェア内のベンチマークデータの第２のＩＤに割り当てられている、請求項２７から３６までのいずれか１項または複数項に記載のコンピュータ読出し可能な媒体。
【請求項３８】
ビジネスプロセスをサポートするためのソフトウェア、殊に企業資源計画ソフトウェアでの使用に対する、請求項２７から３７までのいずれか１項記載のコンピュータ読出し可能な媒体。
【請求項３９】
前記ファイルはＸＭＬファイルまたはＨＴＭＬファイルである、請求項２７から３８までのいずれか１項記載のコンピュータ読出し可能な媒体。
【請求項４０】
搬送波内に組込まれているコンピュータデータ信号であって、
コンピュータシステム内で実行される１つまたは複数のプロセスを用いて、ベンチマークデータを含む電子データ構造を処理するためのコードを有しており、
当該電子データ構造は、ＳＧＭＬベースの言語によって読出し可能なフォーマットを有するファイルであり、
前記コードは、１つまたは複数の前記電子データ構造を電子的な手段によって受け取るための命令を含む、
ことを特徴とするコンピュータデータ信号。
【請求項４１】
搬送波内に組込まれているコンピュータデータ信号であって、
コンピュータシステム内で実行される１つまたは複数のプロセスを用いて、ベンチマークデータを含む電子データ構造を処理するためのコードを有しており、
当該電子データ構造は、ＳＧＭＬベースの言語によって読出し可能なフォーマットを有するファイルであり、
当該ファイルはさらに１つまたは複数のベンチマーク定義を含み、
前記コードは、１つまたは複数の前記電子データ構造を電子的な手段によって受け取るための命令を含む、
ことを特徴とするコンピュータデータ信号。
【請求項４２】
前記ファイルはＸＭＬファイルまたはＨＴＭＬファイルである、請求項４０または４１記載のコンピュータデータ信号。
【請求項４３】
ベンチマークデータを含む電子データ構造を、ビジネスプロセスをサポートするためのソフトウェアにおいて使用するプロセスであって、
当該電子データ構造は、ＳＧＭＬベースの言語によって読出し可能なフォーマットを有するファイルである、
ことを特徴とするプロセス。
【請求項４４】
ベンチマークデータを含む電子データ構造を、ビジネスプロセスをサポートするためのソフトウェアにおいて使用するプロセスであって、
当該電子データ構造は、ＳＧＭＬベースの言語によって読出し可能なフォーマットを有するファイルであり、
当該ファイルはさらに１つまたは複数のベンチマーク定義を含む、
ことを特徴とするプロセス。
【請求項４５】
前記ファイルはＸＭＬファイルまたはＨＴＭＬファイルである、請求項４３または４４記載の、電子データ構造を使用するプロセス。